(57)【特許請求の範囲】
【請求項１】
運転室と、前記運転室の前方に配置され、車体に対して上下方向へ回動するブーム、前記ブームの先端に回動可能に設けられて前記車体に対して上下方向へ回動するアーム、及び前記アームの先端に回動可能に装着されたアタッチメントを含む作業装置と、圧油を吐出する油圧ポンプと、前記油圧ポンプから吐出された圧油により、前記作業装置を駆動する油圧アクチュエータと、前記油圧ポンプから前記油圧アクチュエータへ供給される圧油の流れを制御するバルブ装置と、前記バルブ装置を切換えるためのパイロット圧油を吐出するパイロットポンプと、前記パイロットポンプから前記バルブ装置へ供給されるパイロット圧油の圧力を調整し、前記作業装置を操作する操作装置と、を備えた建設機械において、
前記運転室内の前側に設けられ、作業に関する情報を示す作業情報を表示する透過型の表示装置と、
前記アタッチメントの位置を取得する位置取得器と、
作業対象に対して前記アタッチメントで行う掘削作業及び均し作業のいずれかの状態を検出する作業状態検出装置と、
前記位置取得器によって取得された前記アタッチメントの位置に基づいて、前記表示装置のうち前記運転室内から見て前記アタッチメントの周辺に前記作業情報を表示する制御を行う表示制御部と、を備え、
前記表示制御部は、前記作業状態検出装置によって前記掘削作業の状態が検出されたとき、前記作業情報の表示を、予め設定された文字による表示に切換え、前記作業状態検出装置によって前記均し作業の状態が検出されたとき、前記作業情報の表示を、予め設定された色を含む表示に切換える表示切換部を有し、
前記作業状態検出装置は、
前記操作装置によって調整された前記ブーム側のパイロット圧油の圧力を検出するブーム用圧力検出器と、
前記操作装置によって調整された前記アーム側のパイロット圧油の圧力を検出するアーム用圧力検出器と、
前記ブーム用圧力検出器及び前記アーム用圧力検出器によって検出された各パイロット
圧油の圧力に基づいて、前記作業装置の作業状態を判定する作業状態判定部と、から構成され、
前記作業状態判定部は、
前記アーム用圧力検出器によって検出された前記アーム側のパイロット圧油の圧力が所定の第１閾値以上であり、かつ前記ブーム用圧力検出器によって検出された前記ブーム側のパイロット圧油の圧力が所定の第２閾値未満であるとき、前記作業装置の作業状態が前記均し作業の状態であると判定する
ことを特徴とする建設機械。
【発明の詳細な説明】
【技術分野】
【０００１】
本発明は、建設機械に関し、特に、運転室内に設けられた表示装置に各種の情報を表示する技術に関する。
【背景技術】
【０００２】
一般に、油圧ショベル等に代表される建設機械の運転室内には、オペレータにとって必要な各種の情報を表示するための表示装置が備えられている。この表示装置は、従来より、オペレータの前方視界から離れたスペースに配置されるので、オペレータが前方の作業装置を見ながら作業を行っている最中に、表示装置に表示された情報を確認する場合には、視点を前方位置から表示装置の位置まで動かす必要があり、建設機械の作業効率が低下することが懸念されていた。
【０００３】
そこで、作業中のオペレータの視点の移動を少なくするために、オペレータに提供する情報を運転室の前方景色に重ねて表示するようにした装置が提案されている。この種の装置の従来技術の１つとして、本体部に対する作業装置の位置情報を検出するストロークセンサと、実像表示部と、コンバイナと、表示コントローラとを備え、表示コントローラは、作業装置の位置情報に基づいて、作業支援情報のコンバイナの表面に沿った表示位置及び運転室の前方への奥行き表示位置を制御する建設機械の表示システムが知られている（例えば、特許文献１参照）。
【先行技術文献】
【特許文献】
【０００４】
【特許文献１】特開２０１４−１２９６７６号公報
【発明の概要】
【発明が解決しようとする課題】
【０００５】
上述した特許文献１に開示された従来技術は、作業支援情報の投影像を運転室内から見て作業装置の周囲に表示できるので、作業中のオペレータの視点の移動を少なくすることができるが、作業支援情報が文字によって表示されている。そのため、作業装置を用いて地面を均す均し作業のように、通常の掘削作業よりも高い集中力が要求される作業が行われているときには、オペレータは、作業装置のアタッチメントを注視しているので、作業装置の周囲に映し出された文字から必要な情報を容易に把握することができず、オペレータに対する利便性が低いことが問題になっている。特に、上述のような高い集中力が要求される作業中に、運転室内から見て作業装置の周囲に文字が表示されると、オペレータはその文字を読むことに気を取られることにより、却って作業支援情報の表示が煩雑になる可能性がある。
【０００６】
本発明は、このような従来技術の実情からなされたもので、その目的は、オペレータが集中力を要する作業を行っても、必要な情報を容易に把握することができる建設機械を提供することにある。
【課題を解決するための手段】
【０００７】
上記の目的を達成するために、本発明の建設機械は、運転室と、前記運転室の前方に配置され、車体に対して上下方向へ回動するブーム、前記ブームの先端に回動可能に設けられて前記車体に対して上下方向へ回動するアーム、及び前記アームの先端に回動可能に装着されたアタッチメントを含む作業装置と、圧油を吐出する油圧ポンプと、前記油圧ポンプから吐出された圧油により、前記作業装置を駆動する油圧アクチュエータと、前記油圧ポンプから前記油圧アクチュエータへ供給される圧油の流れを制御するバルブ装置と、前記バルブ装置を切換えるためのパイロット圧油を吐出するパイロットポンプと、前記パイロットポンプから前記バルブ装置へ供給されるパイロット圧油の圧力を調整し、前記作業装置を操作する操作装置と、を備えた建設機械において、前記運転室内の前側に設けられ、作業に関する情報を示す作業情報を表示する透過型の表示装置と、前記アタッチメントの位置を取得する位置取得器と、作業対象に対して前記アタッチメントで行う掘削作業及び均し作業のいずれかの状態を検出する作業状態検出装置と、前記位置取得器によって取得された前記アタッチメントの位置に基づいて、前記表示装置のうち前記運転室内から見て前記アタッチメントの周辺に前記作業情報を表示する制御を行う表示制御部と、を備え、前記表示制御部は、前記作業状態検出装置によって前記掘削作業の状態が検出されたとき、前記作業情報の表示を、予め設定された文字による表示に切換え、前記作業状態検出装置によって前記均し作業の状態が検出されたとき、前記作業情報の表示を、予め設定された色を含む表示に切換える表示切換部を有し、前記作業状態検出装置は、前記操作装置によって調整された前記ブーム側のパイロット圧油の圧力を検出するブーム用圧力検出器と、前記操作装置によって調整された前記アーム側のパイロット圧油の圧力を検出するアーム用圧力検出器と、前記ブーム用圧力検出器及び前記アーム用圧力検出器によって検出された各パイロット圧油の圧力に基づいて、前記作業装置の作業状態を判定する作業状態判定部と、から構成され、前記作業状態判定部は、前記アーム用圧力検出器によって検出された前記アーム側のパイロット圧油の圧力が所定の第１閾値以上であり、かつ前記ブーム用圧力検出器によって検出された前記ブーム側のパイロット圧油の圧力が所定の第２閾値未満であるとき、前記作業装置の作業状態が前記均し作業の状態であると判定することを特徴としている。
【発明の効果】
【０００８】
本発明の建設機械によれば、オペレータが集中力を要する作業を行っても、必要な情報を容易に把握することができる。前述した以外の課題、構成及び効果は、以下の実施形態の説明により明らかにされる。
【図面の簡単な説明】
【０００９】
【図１】本発明に係る建設機械の一実施形態として挙げた油圧ショベルの構成を示す全体図である。
【図２】図１に示す油圧ショベルの旋回体の内部の構成を説明する図である。
【図３】図２に示すコントローラの主な機能を示す機能ブロック図である。
【図４】図３に示すバケット位置演算部によるバケットの位置の演算処理を説明する図である。
【図５】図３に示す作業状態判定部による作業状態の判定処理を説明する図である。
【図６】図３に示す表示装置の表示例を説明する図であり、（ａ）図は文字による表示を示す図、（ｂ）図は文字に色を付加した表示を示す図、（ｃ）図はカラーバーの表示を示す図である。
【図７】本実施形態に係るコントローラによる作業情報の表示の制御処理の流れを示すフローチャートである。
【発明を実施するための形態】
【００１０】
以下、本発明に係る建設機械を実施するための形態を図に基づいて説明する。なお、本発明の実施形態を説明するための全図において、同一の機能を有する部材には同一又は関連する符号を付し、その繰返しの説明は省略する。また、以下の実施形態では、特に必要なとき以外は同一又は同様な部分の説明を原則として繰返さない。
【００１１】
本発明に係る建設機械の一実施形態は、例えば、図１に示す油圧ショベル１から構成されている。この油圧ショベル１は、走行体２と、この走行体２上に旋回フレーム３ａを介して旋回可能に設けられた旋回体３と、この旋回体３の前方に取付けられ、上下方向に回動して作業を行う作業装置としてのフロント作業機４とを備えている。
【００１２】
旋回体３は、前部に配置され、フロント作業機４を操作するオペレータが搭乗する運転室６と、後部に配置され、車体が傾倒しないように車体のバランスを保つカウンタウェイト７と、車体の動作全体を制御するための各種の情報の処理を行うコントローラ８（図２参照）と、運転室６内に設けられ、コントローラ８で処理された各種の情報を表示する表示装置９（図３参照）とを含んで構成されている。なお、旋回体３の内部の構成の詳細については後述する。
【００１３】
フロント作業機４は、基端が旋回フレーム３ａに回動可能に取付けられ、車体に対して上下方向へ回動するブーム４Ａと、このブーム４Ａの先端に回動可能に取付けられ、車体に対して上下方向へ回動するアーム４Ｂと、このアーム４Ｂの先端に回動可能に装着され、車体に対して上下方向へ回動するバケット４Ｃとを含んでいる。
【００１４】
また、フロント作業機４は、旋回体３とブーム４Ａとを接続し、伸縮することによりブーム４Ａを回動させるブームシリンダ４ａと、ブーム４Ａとアーム４Ｂとを接続し、伸縮することによってアーム４Ｂを回動させるアームシリンダ４ｂと、アーム４Ｂとバケット４Ｃとを接続し、伸縮することによってバケット４Ｃを回動させるバケットシリンダ４ｃとを含んでいる。これらのブームシリンダ４ａ、アームシリンダ４ｂ、及びバケットシリンダ４ｃは、ブーム４Ａ、アーム４Ｂ、及びバケット４Ｃをそれぞれ駆動する油圧アクチュエータを構成する。
【００１５】
ブーム４Ａの両端のうち旋回体３側の一端の回動中心には、ブーム４Ａが上下方向に回動した角度を検出する角度センサ４Ａ１が取付けられている。アーム４Ｂの両端のうちブーム４Ａ側の一端の回動中心には、アーム４Ｂが回動した角度を検出する角度センサ４Ｂ１が取付けられている。バケット４Ｃの回動中心には、バケット４Ｃが回動した角度を検出する角度センサ４Ｃ１が取付けられている。
【００１６】
コントローラ８は、例えば図示されないが、車体の動作全体を制御するための各種の演算を行うＣＰＵ（Ｃｅｎｔｒａｌ  Ｐｒｏｃｅｓｓｉｎｇ  Ｕｎｉｔ）と、ＣＰＵによる演算を実行するためのプログラムを格納するＲＯＭ（Ｒｅａｄ  Ｏｎｌｙ  Ｍｅｍｏｒｙ）やＨＤＤ（Ｈａｒｄ  Ｄｉｓｋ  Ｄｒｉｖｅ）等の記憶装置と、ＣＰＵがプログラムを実行する際の作業領域となるＲＡＭ（Ｒａｎｄｏｍ  Ａｃｃｅｓｓ  Ｍｅｍｏｒｙ）とを含むハードウェアから構成されている。
【００１７】
このようなハードウェア構成において、ＲＯＭやＨＤＤ、もしくは図示しない光学ディスク等の記録媒体に格納されたプログラムがＲＡＭに読出され、ＣＰＵの制御に従って動作することによりプログラム（ソフトウェア）とハードウェアとが協働して、コントローラ８の機能を実現する機能ブロックが構成される。なお、コントローラ８の機能構成の詳細については後述する。
【００１８】
表示装置９は、例えば、運転室６の前面に形成されたフロントガラス６Ａ（図６参照）の内側に配置され、このフロントガラス６Ａと重ね合わせて設置された透過型の液晶ディスプレイや液晶モニタ等から構成されている。そして、表示装置９は、作業に関する情報を示す作業情報Ｗ（図６参照）として、例えば、バケット４Ｃにより掘削される予定の目標施工面（作業対象）からのバケット４Ｃの高さを示すバケット高さ情報、車体の燃費を示す燃費情報、車体の周囲に架線等の障害物や作業員が接近したり、あるいは車体の周囲の地形及び地質が急変化した場合に、その旨の警告を示す周囲警告情報、並びに車体の部品が破損等により故障した場合に、その旨の警告を示す車体警告情報を画面に表示する。なお、表示装置９の詳細な表示例については後述する。
【００１９】
次に、このように構成された油圧ショベル１の旋回体３の内部の構成について、図２を参照しながら詳細に説明する。
【００２０】
図２に示すように、旋回体３は、原動機としてのエンジン１１と、このエンジン１１の燃料噴射量を調整するガバナ１２と、エンジン１１の出力軸に接続され、圧油を吐出する油圧ポンプ１３と、後述のバルブ装置１６を切換えるためのパイロット圧油を吐出するパイロットポンプ１４と、コントローラ８に接続され、油圧ポンプ１３の容量を調節するポンプ容量調節装置１５とを含んでいる。
【００２１】
また、旋回体３は、油圧ポンプ１３から各油圧アクチュエータ４ａ〜４ｃへ供給する圧油の流れを制御する前述のバルブ装置１６と、このバルブ装置１６の左右に形成された操作部（図示せず）にパイロット管路を介して接続され、パイロットポンプ１４からバルブ装置１６へ供給されるパイロット圧油の圧力（以下、便宜的にパイロット圧と称する）を調整して各油圧アクチュエータ４ａ〜４ｃの所望の動作を可能とする操作装置１７とを含んでいる。
【００２２】
さらに、旋回体３は、バルブ装置１６と各油圧アクチュエータ４ａ〜４ｃのボトム室４ａ１〜４ｃ１とを接続する管路にそれぞれ取付けられ、これらの管路を流通する作動油の圧力、すなわちブームシリンダ４ａのボトム側の圧力（以下、便宜的にボトム圧と称する）、アームシリンダ４ｂのボトム圧、バケットシリンダ４ｃのボトム圧をそれぞれ検出するボトム圧センサ１８Ａ〜１８Ｃと、操作装置１７の後述の操作レバー１７Ａ，１７Ｂとバルブ装置１６の操作部とを接続するパイロット管路にそれぞれ取付けられ、これらのパイロット管路を流通する作動油の圧力、すなわちパイロット圧を検出するパイロット圧センサ１９Ａ，１９Ｂとを含んでいる。本実施形態では、パイロット圧センサ１９Ａは、操作装置１７によって調整されたアーム側のパイロット圧を検出するアーム用圧力検出器として機能し、パイロット圧センサ１９Ｂは、操作装置１７によって調整されたブーム側のパイロット圧を検出するブーム用圧力検出器として機能する。
【００２３】
油圧ポンプ１３は、可変容量機構として、例えば、斜板（図示せず）を有し、この斜板の傾斜角を調整することによって圧油の吐出流量を制御している。以下、油圧ポンプ１３を斜板ポンプとして説明するが、圧油の吐出流量を制御する機能を有するものであれば、油圧ポンプ１３は斜軸ポンプ等であってもよい。なお、油圧ポンプ１３には、図示されないが、油圧ポンプ１３の吐出圧を検出する吐出圧センサ、油圧ポンプ１３の吐出流量を検出する吐出流量センサ、及び斜板の傾斜角を計測する傾斜角センサが設けられており、これらの各センサから得られた情報は、作業情報Ｗとしてコントローラ８に入力される。また、上述した角度センサ４Ａ１〜４Ｃ１、ボトム圧センサ１８Ａ〜１８Ｃ、及びパイロット圧センサ１９Ａ，１９Ｂから得られた情報も作業情報Ｗとしてコントローラ８に入力される。
【００２４】
ポンプ容量調節装置１５は、コントローラ８から出力される操作信号に基づいて、油圧ポンプ１３の容量（押しのけ容積）を調節するものである。具体的には、ポンプ容量調節装置１５は、斜板を傾転可能に支持するレギュレータ１５Ａと、コントローラ８の指令値に応じて、レギュレータ１５Ａに制御圧を加える電磁比例弁１５Ｂとを有している。レギュレータ１５Ａは、電磁比例弁１５Ｂから制御圧を受けると、この制御圧によって油圧ポンプ１３の斜板の傾斜角を変更することにより、油圧ポンプ１３の容量が調節され、油圧ポンプ１３の吸収トルクを制御することができる。
【００２５】
バルブ装置１６は、油圧アクチュエータ４ａ〜４ｃと油圧ポンプ１３との間に接続され、図示されないが、外殻を形成するハウジング内でストロークすることにより、油圧ポンプ１３から吐出された圧油の流量及び方向を調整するスプールを有している。そして、バルブ装置１６は、パイロットポンプ１４からパイロット管路を介して左右の操作部にそれぞれ流入したパイロット圧油の圧力に応じて、スプールのストローク量を変更するように構成されている。
【００２６】
従って、油圧ポンプ１３、パイロットポンプ１４、ポンプ容量調節装置１５、及びバルブ装置１６が、旋回体３の内部において油圧アクチュエータ４ａ〜４ｃを動作させる油圧回路を構成している。このような構成の油圧回路では、油圧ポンプ１３がエンジン１１の駆動力で動作することにより、油圧ポンプ１３から吐出された圧油がバルブ装置１６に供給され、パイロットポンプ１４から吐出されたパイロット圧油が操作装置１７に供給される。
【００２７】
このとき、運転室６内のオペレータが後述の操作レバー１７Ａ，１７Ｂを操作すると、操作装置１７は、操作レバー１７Ａ，１７Ｂの操作量に応じて減圧したパイロット圧油を、パイロット管路を介してバルブ装置１６の左右の操作部へそれぞれ供給する。これにより、バルブ装置１６内のスプールの位置がパイロット圧油によって切換えられるので、油圧ポンプ１３からバルブ装置１６を流通した圧油が油圧アクチュエータ４ａ〜４ｃへ供給されることにより、油圧アクチュエータ４ａ〜４ｃが動作してブーム４Ａ、アーム４Ｂ、及びバケット４Ｃをそれぞれ駆動することができる。
【００２８】
操作装置１７は、運転室６内においてオペレータの左側の近傍に設置され、オペレータが左手で把持する左手側の操作レバー１７Ａと、運転室６内においてオペレータの右側の近傍に設置され、オペレータが右手で把持する右手側の操作レバー１７Ｂとから構成されている。
【００２９】
操作レバー１７Ａは、前後方向に操作されると、その操作量に対応して旋回体３を左右に旋回させるように設定されている。操作レバー１７Ａの後側への操作は、旋回装置（図示せず）を介して旋回体３を左旋回させる操作であり、操作レバー１７Ａの前側への操作は、旋回装置（図示せず）を介して旋回体３を右旋回させる操作である。
【００３０】
また、操作レバー１７Ａは、左右方向に操作されると、その操作量に対応してアーム４Ｂを上下方向へ回動させるように設定されている。操作レバー１７Ａの左側への操作は、アームシリンダ４ｂが伸長することでアーム４Ｂを車体側へ引き寄せるアームクラウドの操作であり、操作レバー１７Ａの右側への操作は、アームシリンダ４ｂが短縮することでアーム４Ｂを車体側から遠ざける（離れさせる）アームダンプの操作である。
【００３１】
操作レバー１７Ｂは、前後方向に操作されると、その操作量に対応してブーム４Ａを上下方向へ回動させるように設定されている。操作レバー１７Ｂの前側への操作は、ブームシリンダ４ａが短縮することでブーム４Ａを下方へ回動させるブーム下げの操作であり、操作レバー１７Ｂの後側への操作は、ブームシリンダ４ａが伸長することでブーム４Ａを上方へ回動させるブーム上げの操作である。
【００３２】
操作レバー１７Ｂは、左右方向に操作されると、その操作量に対応してバケット４Ｃを上下方向へ回動させるように設定されている。操作レバー１７Ｂの左側への操作は、バケットシリンダ４ｃが伸長することでバケット４Ｃを車体側へ引き寄せるバケットクラウドの操作であり、操作レバー１７Ｂの右側への操作は、バケットシリンダ４ｃが短縮することでバケット４Ｃを車体側から遠ざける（離れさせる）バケットダンプの操作である。
【００３３】
このように、油圧ショベル１の旋回体３、ブーム４Ａ、アーム４Ｂ、及びバケット４Ｃに対する操作には、左旋回、右旋回、ブーム下げ、ブーム上げ、アームクラウド、アームダンプ、バケットクラウド、及びバケットダンプの各操作があり、これらの操作を組み合わせることにより、作業対象としての地面等を掘削する掘削作業、この掘削作業前にバケット４Ｃを所定の目標施工面まで移動させる移動作業、及び地面等を均して平滑に整える均し作業等の作業を行うことができる。
【００３４】
そして、本実施形態は、掘削作業、移動作業、及び均し作業等の作業中において、運転室６内のオペレータに提供する作業情報Ｗを表示装置９に表示する機能をコントローラ８に備えている。以下、本実施形態の特徴をなすコントローラ８の機能構成について、図３を参照しながら詳細に説明する。
【００３５】
図３に示すように、コントローラ８は、角度センサ４Ａ１〜４Ｃ１によって検出された各回動角、及び予め記憶装置に記憶されたフロント作業機４を含む車体の寸法情報に基づいて、バケット４Ｃの位置を演算するバケット位置演算部２１と、ボトム圧センサ１８Ａ〜１８Ｃによって検出された各ボトム圧、及びパイロット圧センサ１９Ａ，１９Ｂによって検出された各パイロット圧に基づいて、フロント作業機４の作業状態を判定する作業状態判定部２２と、バケット位置演算部２１によって演算されたバケット４Ｃの位置に基づいて、表示装置９のうち運転室６内から見てバケット４Ｃの周辺に作業情報Ｗを表示する表示制御部２３とを含んで構成されている。
【００３６】
次に、バケット位置演算部２１によるバケット４Ｃの位置の演算処理について、図４を用いて説明する。
【００３７】
図４では、フロント作業機４が回動する回動面（鉛直面）において、ブーム４Ａの回動支点を原点Ｏ（０，０）とし、車体の前方に伸びる水平方向の軸をＸ軸、車体の上下方向に伸びる鉛直方向の軸をＹ軸としたＸＹ座標系が設定されている。バケット位置演算部２１は、バケット４Ｃの位置として、図４に示すＸＹ座標系におけるバケット４Ｃの先端Ｅの座標（Ｘ１，Ｙ１）を下記のように算出する。
【００３８】
具体的には、ブーム４Ａの回動角として、ブーム４Ａの回動支点とアーム４Ｂの回動支点とを結ぶブーム４Ａの軸ＢＭがＹ軸から回動した角度をα、アーム４ｂの回動角として、アーム４Ｂの回動支点とバケット４Ｃの回動支点とを結ぶアーム４Ｂの軸ＡＭがブーム４Ａの軸ＢＭから回動した角度をβ、バケット４Ｃの回動角として、バケット４Ｃの回動支点とバケット４Ｃの先端Ｅとを結ぶバケット４Ｃの軸ＢＫがアーム４Ｂの軸ＡＭから回動した角度をγとする。
【００３９】
また、ブーム４Ａの回動支点とアーム４Ｂの回動支点との距離をＬ１、アーム４Ｂの回動支点とバケット４Ｃの回動支点との距離をＬ２、バケット４Ｃの回動支点とバケット４Ｃの先端Ｅとの距離をＬ３とする。このように、ブーム４Ａの回動角α、アーム４Ｂの回動角β、バケット４Ｃの回動角γ、ブーム４Ａの回動支点とアーム４Ｂの回動支点との距離Ｌ１、アーム４Ｂの回動支点とバケット４Ｃの回動支点との距離Ｌ２、バケット４Ｃの回動支点とバケット４Ｃの先端Ｅとの距離Ｌ３を定義すると、バケット４Ｃの先端Ｅの座標（Ｘ１，Ｙ１）は、これらの回動角α，β，γ及び距離Ｌ１〜Ｌ３を用いて下記の数式（１）、（２）により表される。
【数１】
0006559529.tif 000002
【数２】
0006559529.tif 000003
【００４０】
バケット位置演算部２１は、角度センサ４Ａ１によって検出されたブーム４Ａの回動角α、角度センサ４Ｂ１によって検出されたアーム４Ｂの回動角β、及び角度センサ４Ｃ１によって検出されたバケット４Ｃの回動角γ、並びに予め記憶装置に記憶されたブーム４Ａの回動支点とアーム４Ｂの回動支点との距離Ｌ１、アーム４Ｂの回動支点とバケット４Ｃの回動支点との距離Ｌ２、バケット４Ｃの回動支点とバケット４Ｃの先端Ｅとの距離Ｌ３を上記の数式（１）、（２）にそれぞれ代入することにより、バケット４Ｃの先端Ｅの座標（Ｘ１，Ｙ１）を求めることができる。従って、角度センサ４Ａ１〜４Ｃ１及びバケット位置演算部２１は、バケット４Ｃの位置を取得する位置取得器３１として機能する。
【００４１】
次に、作業状態判定部２２による作業状態の判定処理について、図５を用いて説明する。
【００４２】
作業状態判定部２２は、フロント作業機４の作業状態として、目標施工面が設定されていない通常の掘削作業、移動作業、及び均し作業のいずれかの状態を検出する。これらの作業状態のうち移動作業及び均し作業の各状態においては、オペレータが、バケット４Ｃで地面を掘り過ぎないように操作レバー１７Ａ，１７Ｂの操作に注意する必要があるので、移動作業及び均し作業は通常の掘削作業よりも高い集中力が要求される。なお、目標施工面が予め設定されている場合には、当該目標施工面を含む施工情報が記憶装置に記憶される。
【００４３】
ここで、図５に示すように、バケット４Ｃの先端Ｅの位置と目標施工面Ｆの位置との距離をＨとすると、この目標施工面Ｆからのバケット４Ｃの高さＨは、バケット４Ｃの先端ＥのＹ座標Ｙ１、及び目標施工面ＦのＹ座標Ｙ２を用いて下記の数式（３）により表される。
【数３】
0006559529.tif 000004
【００４４】
作業状態判定部２２は、バケット位置演算部２１によって演算されたバケット４Ｃの先端ＥのＹ座標Ｙ１、及び記憶装置に記憶された目標施工面ＦのＹ座標Ｙ２を上記の数式（３）に代入することにより、目標施工面Ｆからのバケット４Ｃの高さＨを求めることができる。そして、作業状態判定部２２は、このバケット４Ｃの高さＨと所定の距離Ｈ１（図７参照）とを比較し、バケット４Ｃの高さＨが距離Ｈ１未満であるとき、フロント作業機４の作業状態が移動作業の状態であると判定し、バケット４Ｃの高さＨが距離Ｈ１以上であるとき、フロント作業機４の作業状態が移動作業の状態でない、すなわち通常の掘削作業の状態であると判定する。
【００４５】
また、作業状態判定部２２は、パイロット圧センサ１９Ａによって検出されたアーム４Ｂ側のパイロット圧、すなわちアーム４Ｂを上下方向へ回動させるためのパイロット圧ＰＰａｍ（図７参照）が所定の第１閾値Ｐ１（図７参照）以上であり、かつパイロット圧センサ１９Ｂによって検出されたブーム４Ａ側のパイロット圧、すなわちブーム４Ａを上下方向へ回動させるためのパイロット圧ＰＰｂｍ（図７参照）が所定の第２閾値Ｐ２（図７参照）未満であり、さらにボトム圧センサ１８Ａによって検出されたブームシリンダ４ａのボトム圧ＰＢｂｍ（図７参照）が所定の第３閾値Ｐ３（図７参照）未満である条件を満たすとき、フロント作業機４の作業状態が均し作業の状態であると判定する。
【００４６】
一方、作業状態判定部２２は、上記条件を満たさないとき、フロント作業機４の作業状態が均し作業の状態でない、すなわち通常の掘削作業の状態であると判定する。従って、パイロット圧センサ１９Ａ，１９Ｂ、ボトム圧センサ１８Ａ、バケット位置演算部２１、及び作業状態判定部２２は、フロント作業機４の作業状態を検出する作業状態検出装置３２として機能する。なお、上述した作業状態判定部２２による均し作業の状態の判定では、ボトム圧センサ１８Ａによって検出されたブームシリンダ４ａのボトム圧ＰＢｂｍが第３閾値Ｐ３未満であることを条件の１つとして求めた場合について説明したが、この場合に限らず、当該条件を省略してもよい。
【００４７】
表示制御部２３は、バケット位置演算部２１によって演算されたバケット４Ｃの位置、及び予め記憶装置に記憶された運転室６内の運転席（図示せず）の位置や表示装置９の位置を含む車体の寸法情報に基づいて、作業情報Ｗを表示装置９に表示する位置を演算する表示位置演算部２３１と、作業状態判定部２２によって判定されたフロント作業機４の作業状態に応じて、作業情報Ｗの表示を、予め設定された文字による表示又は色を含む表示に切換える表示切換部２３２とを含んで構成されている。なお、ここで文字による表示とは、文字のみで用いたいわゆる通常表示を示し、また色を含む表示とは文字に色で強調したマークを併せた表示、色で強調したマークのみの表示、さらにマークや文字の大きさを変えたり、点滅させた表示、などオペレータに対する多様な態様の強調表示を含む。
【００４８】
表示位置演算部２３１は、バケット位置演算部２１によって演算されたバケット４Ｃの位置、運転室６内の運転席の位置、及び表示装置９の位置の関係から、透過型の表示装置９の画面のうち、運転室６内から見てバケット４Ｃの周辺の所定の範囲内に作業情報Ｗを映し出すことが可能な位置を算出する。
【００４９】
表示切換部２３２は、作業状態判定部２２によってフロント作業機４の作業状態が通常の掘削作業の状態であると判定されたとき、作業情報Ｗの表示を文字による表示に切換え、作業状態判定部２２によってフロント作業機４の作業状態が移動作業の状態又は均し作業の状態であると判定されたとき、作業情報Ｗの表示を、色を含む表示に切換える。なお、表示装置９には、運転室６内のオペレータが作業情報Ｗの表示を手動で切換えるための切換スイッチ９Ａが設けられており、表示切換部２３２は、切換スイッチ９Ａからの切換指令に従って、作業情報Ｗの表示を文字による表示又は色を含む表示に強制的に切換える。
【００５０】
次に、表示切換部２３２によって切換えられた表示装置９の表示例について、図６（ａ）〜（ｃ）を参照しながら詳細に説明する。
【００５１】
表示切換部２３２は、作業情報Ｗの表示を文字による表示に切換えると、図６（ａ）に示すように、表示装置９の画面のうち表示位置演算部２３１によって演算された位置に、作業情報Ｗを表す文字が映し出される。このとき、作業情報Ｗがバケット高さ情報である場合には、例えば図６（ａ）に示すように、「２００ｍｍ」の文字がバケット４Ｃの移動方向を示す矢印と共に映し出され、これらの文字及び矢印には色が付されていない。
【００５２】
また、図示されないが、作業情報Ｗが燃費情報である場合には、１日の累計燃費を示す「３５ｍ３／Ｌ」等の文字が映し出され、作業情報Ｗが周囲警告情報である場合には、警告の対象物の名称、方向、及び車体からの距離を示す「車体後方４ｍに作業員が接近」等の文字が映し出され、作業情報Ｗが車体警告情報である場合には、故障の内容及びその対処方法を示す「マフラフィルタの異常です。直ちに機体を安全な姿勢にしてエンジンを停止し、最寄の支店または営業所にお問い合わせください」等の文字が映し出される。
【００５３】
一方、表示切換部２３２は、作業情報Ｗの表示を、色を含む表示に切換えると、図６（ｂ）、（ｃ）に示すように、表示装置９の画面のうち表示位置演算部２３１によって演算された位置に、作業情報Ｗを表す色が反映される。このとき、作業情報Ｗがバケット高さ情報である場合には、表示切換部２３２は、例えば図６（ｂ）に示すように、「２００ｍｍ」の文字及び矢印に色を付加してもよいし、図６（ｃ）に示すように、文字及び矢印の代わりに、カラーバーを表示したり、あるいは丸や三角等の記号や図形等に色を付加して表示してもよい。なお、このような色を含む表示は、燃費情報、周囲警告情報、及び車体警告情報についても同様である。
【００５４】
また、色を含む表示において、作業情報Ｗがバケット高さ情報である場合には、表示切換部２３２は、例えば、目標施工面Ｆからのバケット４Ｃの高さＨに応じて、緑色、黄色、橙色、赤色の順へ色相環を辿るように変化させたり、あるいはバケット４Ｃが目標施工面Ｆに接触、すなわちバケット４Ｃの高さＨが０になったときに、赤色の点滅表示を行ってもよい。同様に、作業情報Ｗが燃費情報である場合には、表示切換部２３２は、燃費が悪くなるにつれて緑色、黄色、橙色、赤色の順へ色相環を辿るように変化させてもよい。さらに、作業情報Ｗが周囲警告情報又は車体警告情報である場合には、表示切換部２３２は、赤色の表示や赤色の点滅表示を行ったり、あるいはバケット高さ情報及び燃費情報と区別するために、表示装置９に予め内蔵されたスピーカ等の音声出力装置（図示せず）から警告音を出力してもよい。
【００５５】
次に、本実施形態に係るコントローラ８による作業情報Ｗの表示の制御処理を、図７のフローチャートに基づいて詳細に説明する。なお、制御処理の始動及び停止は、ここでは運転室６内にエンジン１１の始動及び停止を実行させる図示しないキーのオンオフに連動することを想定している。しかしこれに拘わることなく、他の手段を用いてもよい。また、エンジン１１が始動してから停止するまでの間は、一定周期毎に処理されることを想定している。
【００５６】
図７に示すように、まず、コントローラ８の表示制御部２３は、切換スイッチ９Ａの入力信号を確認し、切換スイッチ９ＡがＯＮ状態になっているかどうかを判断する（（ステップ（以下、Ｓと記す）７０１））。そして、表示制御部２３は、切換スイッチ９ＡがＯＮ状態になっていると判断すると（Ｓ７０１／Ｙｅｓ）、表示制御部２３の表示切換部２３２は、切換スイッチ９Ａからの切換指令が色を含む表示の指令であるかどうかを判断する（Ｓ７０２）。
【００５７】
このとき、表示切換部２３２は、切換スイッチ９Ａからの切換指令が色を含む表示の指令であると判断すると（Ｓ７０２／Ｙｅｓ）、後述のＳ７１３の処理が行われる。一方、表示切換部２３２は、切換スイッチ９Ａからの切換指令が色を含む表示の指令ではない、すなわち文字による表示の指令であると判断すると（Ｓ７０２／Ｎｏ）、後述のＳ７０７の処理が行われる。
【００５８】
Ｓ７０１において、表示制御部２３は、切換スイッチ９ＡがＯＮ状態になっていない、すなわちＯＦＦ状態になっていると判断すると（Ｓ７０１／Ｎｏ）、コントローラ８は、角度センサ４Ａ１〜４Ｃ１の検出値を取得する（Ｓ７０３）。次に、コントローラ８は、記憶装置内の情報を参照し、目標施工面Ｆを含む施工情報が記憶装置に記憶されているかどうかを判断する（Ｓ７０４）。
【００５９】
Ｓ７０４において、コントローラ８は、施工情報が記憶装置に記憶されていると判断すると（Ｓ７０４／Ｙｅｓ）、コントローラ８のバケット位置演算部２１は、角度センサ４Ａ１〜４Ｃ１によって検出された各回動角α，β，γ、及び予め記憶装置に記憶された車体の寸法情報からバケット４Ｃの位置を演算する。次に、コントローラ８の作業状態判定部２２は、バケット位置演算部２１によって演算されたバケット４Ｃの位置、及び予め記憶装置に記憶された施工情報の目標施工面Ｆに基づいて、目標施工面Ｆからのバケット４Ｃの高さＨを演算し（Ｓ７０５）、演算したバケット４Ｃの高さＨが距離Ｈ１未満であるかどうかを確認する（Ｓ７０６）。
【００６０】
このとき、作業状態判定部２２は、バケット４Ｃの高さＨが距離Ｈ１未満であることを確認すると（Ｓ７０６／Ｙｅｓ）、フロント作業機４の作業状態が移動作業の状態であると判定し、後述のＳ７１３の処理が行われる。一方、Ｓ７０６において、作業状態判定部２２は、バケット４Ｃの高さＨが距離Ｈ１以上であることを確認すると（Ｓ７０６／Ｎｏ）、フロント作業機４の作業状態が通常の掘削作業の状態であると判定する。
【００６１】
そして、表示制御部２３の表示位置演算部２３１は、バケット位置演算部２１によって演算されたバケット４Ｃの位置及び車体の寸法情報から、作業情報Ｗを表示装置９に表示する位置を演算すると、表示制御部２３が表示位置演算部２３１によって演算された位置に作業情報Ｗを表示すると共に、表示切換部２３２がその作業情報Ｗの表示を文字による表示に切換え（Ｓ７０７）、図示しないキーがオンであれば、一定周期毎にＳ７０１に戻り、図示しないキーがオフされた場合、作業情報Ｗの表示の制御処理を終了する。
【００６２】
一方、Ｓ７０４において、コントローラ８は、施工情報が記憶装置に記憶されていないと判断すると（Ｓ７０４／Ｎｏ）、パイロット圧センサ１９Ａ，１９Ｂの検出値を取得し（Ｓ７０８）、さらにボトム圧センサ１８Ａ〜１８Ｃの検出値を取得する（Ｓ７０９）。次に、作業状態判定部２２は、パイロット圧センサ１９Ａによって検出されたアーム４Ｂ側のパイロット圧ＰＰａｍが第１閾値Ｐ１以上であるかどうかを確認する（Ｓ７１０）。
【００６３】
このとき、作業状態判定部２２は、アーム４Ｂ側のパイロット圧ＰＰａｍが第１閾値Ｐ１未満であることを確認すると（Ｓ７１０／Ｎｏ）、フロント作業機４の作業状態が通常の掘削作業の状態であると判定し、Ｓ７０７の処理が行われる。一方、Ｓ７１０において、作業状態判定部２２は、アーム４Ｂ側のパイロット圧ＰＰａｍが第１閾値Ｐ１以上であることを確認すると（Ｓ７１０／Ｙｅｓ）、パイロット圧センサ１９Ｂによって検出されたブーム４Ａ側のパイロット圧ＰＰｂｍが第２閾値Ｐ２未満であるかどうかを確認する（Ｓ７１１）。
【００６４】
このとき、作業状態判定部２２は、ブーム４Ａ側のパイロット圧ＰＰｂｍが第２閾値Ｐ２以上であることを確認すると（Ｓ７１１／Ｎｏ）、フロント作業機４の作業状態が通常の掘削作業の状態であると判定し、Ｓ７０７の処理が行われる。一方、Ｓ７１１において、作業状態判定部２２は、ブーム４Ａ側のパイロット圧ＰＰｂｍが第２閾値Ｐ２未満であることを確認すると（Ｓ７１１／Ｙｅｓ）、ボトム圧センサ１８Ａによって検出されたブームシリンダ４ａのボトム圧ＰＢｂｍが第３閾値Ｐ３未満であるかどうかを確認する（Ｓ７１２）。
【００６５】
このとき、作業状態判定部２２は、ブームシリンダ４ａのボトム圧ＰＢｂｍが第３閾値Ｐ３以上であることを確認すると（Ｓ７１２／Ｎｏ）、フロント作業機４の作業状態が通常の掘削作業の状態であると判定し、Ｓ７０７の処理が行われる。一方、Ｓ７１２において、作業状態判定部２２は、ブームシリンダ４ａのボトム圧ＰＢｂｍが第３閾値Ｐ３未満であることを確認すると（Ｓ７１２／Ｙｅｓ）、フロント作業機４の作業状態が均し作業の状態であると判定する。
【００６６】
そして、表示位置演算部２３１は、バケット位置演算部２１によって演算されたバケット４Ｃの位置及び車体の寸法情報から、作業情報Ｗを表示装置９に表示する位置を演算すると、表示制御部２３が表示位置演算部２３１によって演算された位置に作業情報Ｗを表示すると共に、表示切換部２３２がその作業情報Ｗの表示を、色を含む表示に切換え（Ｓ７１３）、図示しないキーがオンであれば、一定周期毎にＳ７０１に戻り、図示しないキーがオフされた場合、作業情報Ｗの表示の制御処理を終了する。
【００６７】
このように構成した本実施形態に係る油圧ショベル１によれば、オペレータに提供する作業情報Ｗが、表示制御部２３によって表示装置９のうち運転室６内から見てバケット４Ｃの周辺に表示される。この状態において、移動作業や均し作業のように、通常の掘削作業よりも高い集中力が要求される作業が行われると、表示切換部２３２によって表示装置９の作業情報Ｗの表示が、文字による表示から色を含む表示に切換えられる。これにより、運転室６内のオペレータは、フロントガラス６Ａを通してバケット４Ｃを注視していても、作業情報Ｗとして表現される色を周辺視野で十分に捉えることができるので、作業に集中しながら作業情報Ｗを感覚的に理解することができる。このように、本実施形態は、オペレータが集中力を要する作業を行っても、必要な情報を容易に把握することができるので、優れた作業効率を得ることができる。
【００６８】
また、本実施形態に係る油圧ショベル１では、移動作業や掘削作業と比較してオペレータが視線を逸らす余裕がある掘削作業が行われているときには、表示切換部２３２によって表示装置９の作業情報Ｗの表示が文字による表示に切換えられるので、オペレータがその文字を読み取ることにより、バケット高さ情報、燃費情報、周囲警告情報、及び車体警告情報等を含む詳細な情報を正確に把握することができる。
【００６９】
一方、掘削作業と比較して高い集中力が要求される移動作業又は均し作業が行われているときには、表示切換部２３２によって作業情報Ｗの表示が色を含む表示に切換えられるので、作業情報Ｗの表示がオペレータの作業の妨げになるのを回避することができる。これにより、操作レバー１７Ａ，１７Ｂを操作するオペレータが、移動作業において、バケット４Ｃの位置を目標施工面Ｆに的確に合わせることができると共に、均し作業において、地面等を意図通りに整えることができるので、作業対象に対して繊細な操作が求められる作業を円滑に進めることができる。
【００７０】
ところで、フロント作業機４の作業状態が移動作業の状態であるときには、オペレータは、操作レバー１７Ａ，１７Ｂを操作してバケット４Ｃの先端Ｅを予め設定された目標施工面Ｆへ接近させる。本実施形態に係る油圧ショベル１は、このような移動作業の状態におけるバケット４Ｃと目標施工面Ｆとの位置関係に着目し、作業状態判定部２２による移動作業の状態の判定を行うようにしている。すなわち、作業状態判定部２２は、バケット位置演算部２１の演算結果を参照して目標施工面Ｆからのバケット４Ｃの高さＨを演算し、演算したバケット４Ｃの高さＨと所定の距離Ｈ１との大小を比較することにより、フロント作業機４の作業状態が移動作業の状態であるかどうかを精度良く判別することができる。
【００７１】
また、フロント作業機４の作業状態が均し作業の状態であるときには、オペレータは、操作レバー１７Ａ，１７Ｂを操作し、アームシリンダ４ｂを伸長させてアーム４Ｂを車体側へ引き寄せた状態に維持しつつ、ブームシリンダ４ａを伸長させて、バケット４Ｃの先端ＥのＹ座標Ｙ１を一定に保つように操作する。本実施形態に係る油圧ショベル１は、このような均し作業におけるブーム４Ａ及びアーム４Ｂの状態に着目し、作業状態判定部２２による均し作業の状態の判定を行うようにしている。すなわち、作業状態判定部２２は、パイロット圧センサ１９Ａによって検出されたアーム４Ｂ側のパイロット圧ＰＰａｍが所定の第１閾値Ｐ１以上であること、及びパイロット圧センサ１９Ｂによって検出されたブーム４Ａ側のパイロット圧ＰＰｂｍが所定の第２閾値Ｐ２未満であることをそれぞれ判定条件として用いることにより、フロント作業機４の作業状態が均し作業の状態であるかどうかを迅速に判別することができる。このように、本実施形態は、集中力を要するフロント作業機４の作業状態の判定を、高精度かつ効率的に行うことができるので、信頼性に優れた油圧ショベル１を提供することができる。
【００７２】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００７３】
また、本実施形態に係る油圧ショベル１は、フロント作業機４の先端に装着されたアタッチメントとして、バケット４Ｃを用いて構成された場合について説明したが、本発明はこの場合に限らず、例えば、バケット４Ｃの代わりに、金属スクラップを吸着して運搬するマグネット等を用いて構成されてもよい。
【００７４】
さらに、本実施形態に係る油圧ショベル１では、表示装置９は、運転室６の前面に形成されたフロントガラス６Ａに重ね合わせて設置された透過型の液晶ディスプレイや液晶モニタ等から構成された場合について説明したが、本発明はこの場合に限らず、例えば、作業情報Ｗを示す実像を表示するための実像表示部（図示せず）と、この実像表示部から投射された画像を反射させてフロントガラス６Ａの前方に当該画像の虚像を表示するためのコンバイナ（図示せず）とから構成されてもよい。
【符号の説明】
【００７５】
１…油圧ショベル（建設機械）、４…フロント作業機（作業装置）、４Ａ…ブーム、４Ａ１〜４Ｃ１…角度センサ、４ａ…ブームシリンダ（油圧アクチュエータ）、４Ｂ…アーム、４ｂ…アームシリンダ（油圧アクチュエータ）、４Ｃ…バケット（アタッチメント）、４ｃ…バケットシリンダ（油圧アクチュエータ）
６…運転室、８…コントローラ、９…表示装置、９Ａ…切換スイッチ、１３…油圧ポンプ、１４…パイロットポンプ、１６…バルブ装置、１７…操作装置、１７Ａ，１７Ｂ…操作レバー、１８Ａ〜１８Ｃ…ボトム圧センサ、１９Ａ…パイロット圧センサ（アーム用圧力検出器）、１９Ｂ…パイロット圧センサ（ブーム用圧力検出器）
２１…バケット位置演算部、２２…作業状態判定部、２３…表示制御部、３１…位置取得器、３２…作業状態検出装置、２３１…表示位置演算部、２３２…表示切換部
【図１】
0006559529.tif 000005
【図２】
0006559529.tif 000006
【図３】
0006559529.tif 000007
【図４】
0006559529.tif 000008
【図５】
0006559529.tif 000009
【図６】
0006559529.tif 000010
【図７】
0006559529.tif 000011